(57)【特許請求の範囲】
【請求項１】
互いに直交する長手方向、幅方向、及び厚さ方向と、
吸収性コアと、
着用時に少なくとも着用者の股間部に位置する股間部位と、
を有する吸収性物品であって、
少なくとも前記股間部位の一部において、
前記長手方向における前記股間部位の両外側の部位よりも厚く、
前記吸収性コアは、前記幅方向の中央部に、肌側に突出して折れ曲がるように誘導する前記長手方向に沿った折り誘導部を有し、
前記折り誘導部の前記幅方向の両側に、前記長手方向に所定の長さを有する一対の第１圧搾部が配され、
各前記第１圧搾部の前記幅方向の外側に、前記長手方向に所定の長さを有する一対の第２圧搾部が配されており、
前記折り誘導部は、前記長手方向の全域に亘って設けられており、
前記幅方向に切った前記股間部位のある断面では、前記幅方向において前記第１圧搾部が前記吸収性コアの端よりも前記吸収性コアの中央に近い位置に配されていること、を特徴とする吸収性物品。
【請求項２】
請求項１に記載の吸収性物品であって、
少なくとも前記股間部位の一部の厚さが３．５ｍｍ以上１０ｍｍ以下であること、を特徴とする吸収性物品。
【請求項３】
請求項１又は請求項２に記載の吸収性物品であって、
前記断面では、前記幅方向において前記第２圧搾部が前記吸収性コアの中央よりも前記吸収性コアの端に近い位置に配されていること、を特徴とする吸収性物品。
【請求項４】
請求項１から請求項３の何れか１項に記載の吸収性物品であって、
前記折り誘導部には、前記吸収性コアの非肌側面に第３圧搾部が配されており、
前記第３圧搾部の最深部の深さは、前記最深部から前記吸収性コアの肌側面までの厚さよりも大きいこと、を特徴とする吸収性物品。
【請求項５】
請求項４に記載の吸収性物品であって、
前記第３圧搾部における前記吸収性コアの密度が０．１ｇ／ｃｍ3以上０．２ｇ／ｃｍ3以下であること、を特徴とする吸収性物品。
【請求項６】
請求項１から請求項５の何れか１項に記載の吸収性物品であって、
少なくとも前記股間部位の一部において、前記幅方向の中央部の方が側部に比べて、前記吸収性コアの坪量が高いこと、を特徴とする吸収性物品。
【請求項７】
請求項１から請求項６の何れか１項に記載の吸収性物品であって、
前記第１圧搾部と前記第２圧搾部の少なくとも一方が、前記幅方向に凸となるように湾曲しており、
前記長手方向における前記第１圧搾部の中央部に比べて端部の方が、前記第２圧搾部との前記幅方向の間隔が狭いこと、を特徴とする吸収性物品。
【請求項８】
請求項１から請求項７の何れか１項に記載の吸収性物品であって、
前記第１圧搾部が前記幅方向の内側に凸となるように湾曲していること、を特徴とする吸収性物品。
【請求項９】
請求項１から請求項８の何れか１項に記載の吸収性物品であって、
前記第２圧搾部が前記幅方向の外側に凸となるように湾曲していること、を特徴とする吸収性物品。
【発明の詳細な説明】
【技術分野】
【０００１】
本発明は、吸収性物品に関する。
【背景技術】
【０００２】
吸収性物品の一例として生理用ナプキンが挙げられる。特許文献１のナプキンには、吸収体の幅方向の中央部に、肌側に突出して折れ曲がるように誘導する折り誘導線が長手方向に沿って設けられている。また、吸収体の幅方向の両側端の近傍に、長手方向に延びた一対の線状圧搾部が設けられている。そのため、着用時に脚の挟み込みの力が作用するとナプキンは折り誘導線で折れ曲がり、着用者の排泄口（膣口）に接する。また、折り誘導線と線状圧搾部の間の柔軟な部位が、着用者の陰唇部に沿って折れ、良好なフィット性が得られる。
【先行技術文献】
【特許文献】
【０００３】
【特許文献１】特開２０１６−１８９８５５号公報
【発明の概要】
【発明が解決しようとする課題】
【０００４】
特許文献１では、吸収体全体が薄く、３ｍｍ以下であることが望ましいとしている。一方、排泄量の多い使用者からは、着用時に股間部に位置する部位が厚い製品が望まれている。そのような製品に対して、特許文献１に記載の折り誘導線、及び、一対の線状圧搾部を設けても、着用者の脚の挟み込みの力が伝達され難かったり、吸収体を構成する繊維同士がぶつかったりする。そのため、折り誘導線でのナプキンの曲がりが緩やかとなり、着用者の膣口に接する程の高さが得られ難い。また、厚みがあると、折り誘導線と線状圧搾部の間が折れ難く、着用者の陰唇部との間に隙間が生じ、フィット性が良くない。
本発明は、上記のような問題に鑑みてなされたものであって、股間部位が厚い吸収性物品のフィット性を向上させることを目的とする。
【課題を解決するための手段】
【０００５】
上記目的を達成するための主たる発明は、
互いに直交する長手方向、幅方向、及び厚さ方向と、
吸収性コアと、
着用時に少なくとも着用者の股間部に位置する股間部位と、
を有する吸収性物品であって、
少なくとも前記股間部位の一部において、
前記長手方向における前記股間部位の両外側の部位よりも厚く、
前記吸収性コアは、前記幅方向の中央部に、肌側に突出して折れ曲がるように誘導する前記長手方向に沿った折り誘導部を有し、
前記折り誘導部の前記幅方向の両側に、前記長手方向に所定の長さを有する一対の第１圧搾部が配され、
各前記第１圧搾部の前記幅方向の外側に、前記長手方向に所定の長さを有する一対の第２圧搾部が配されており、
前記折り誘導部は、前記長手方向の全域に亘って設けられており、
前記幅方向に切った前記股間部位のある断面では、前記幅方向において前記第１圧搾部が前記吸収性コアの端よりも前記吸収性コアの中央に近い位置に配されていること、を特徴とする吸収性物品である。
本発明の他の特徴については、本明細書及び添付図面の記載により明らかにする。
【発明の効果】
【０００６】
本発明によれば、股間部位が厚い吸収性物品のフィット性を向上させることができる。
【図面の簡単な説明】
【０００７】
【図１】第１実施形態のナプキン１の概略平面図である。
【図２】幅方向に切った股間部位１Ａの概略断面図である。
【図３】吸収性コア１１の坪量を示す図である。
【図４】第１線状圧搾部２４及び第２線状圧搾部２５を説明する図である。
【図５】ナプキン１の股間部位１Ａの着用中の概略断面図である。
【図６】第２実施形態のナプキン１の概略平面図である。
【発明を実施するための形態】
【０００８】
本明細書及び添付図面の記載により、少なくとも以下の事項が明らかとなる。
互いに直交する長手方向、幅方向、及び厚さ方向と、吸収性コアと、着用時に少なくとも着用者の股間部に位置する股間部位と、を有する吸収性物品であって、少なくとも前記股間部位の一部において、前記長手方向における前記股間部位の両外側の部位よりも厚く、前記吸収性コアは、前記幅方向の中央部に、肌側に突出して折れ曲がるように誘導する前記長手方向に沿った折り誘導部を有し、前記折り誘導部の前記幅方向の両側に、前記長手方向に所定の長さを有する一対の第１圧搾部が配され、各前記第１圧搾部の前記幅方向の外側に、前記長手方向に所定の長さを有する一対の第２圧搾部が配されており、前記幅方向に切った前記股間部位のある断面では、前記幅方向において前記第１圧搾部が前記吸収性コアの端よりも前記吸収性コアの中央に近い位置に配されていること、を特徴とする吸収性物品。
【０００９】
このような吸収性物品によれば、股間部位の厚さから安心感や着け心地の良い印象を着用者に付与できる。また、第１圧搾部及び第２圧搾部により股間部位の幅方向の剛性が高まる。そのため、股間部位が厚くとも、着用者の脚の挟み込みの力（股締め力）が伝達され、折り誘導部によって股間部位の幅方向の中央部が肌側に突出し、着用者の排泄口に密着する。また、幅方向の側部が第１圧搾部を起点に肌側に折れて着用者の脚の付け根に密着する。また、一対の第１圧搾部が吸収性コアの幅方向の中央の近くに配されているため、折り誘導部での曲がりが急となり、幅方向の中央部が肌側に高く突出する。よって、着用者の排泄口により密着し易く、フィット性がよい。
【００１０】
かかる吸収性物品であって、少なくとも前記股間部位の一部の厚さが３．５ｍｍ以上１０ｍｍ以下であること、を特徴とする吸収性物品。
【００１１】
このような吸収性物品によれば、股間部位の厚さから安心感や着け心地の良い印象を着用者に付与できる。
【００１２】
かかる吸収性物品であって、前記断面では、前記幅方向において前記第２圧搾部が前記吸収性コアの中央よりも前記吸収性コアの端に近い位置に配されていること、を特徴とする吸収性物品。
【００１３】
このような吸収性物品によれば、股間部位の幅方向の側部において吸収性コアの端に近い位置まで剛性が高まるため、側部が面状に立ち上がり着用者の脚の付け根に密着する。
【００１４】
かかる吸収性物品であって、前記折り誘導部には、前記吸収性コアの非肌側面に第３圧搾部が配されており、前記第３圧搾部の最深部の深さは、前記最深部から前記吸収性コアの肌側面までの厚さよりも大きいこと、を特徴とする吸収性物品。
【００１５】
このような吸収性物品によれば、第３圧搾部によって排泄液が吸収性コアに引き込まれ易く、また、長手方向に拡散し易い。また、股間部位が厚くとも、吸収性物品が折り誘導部にて肌側に折れ曲がり易くなる。
【００１６】
かかる吸収性物品であって、前記第３圧搾部における前記吸収性コアの密度が０．１ｇ／ｃｍ3以上０．２ｇ／ｃｍ3以下であること、を特徴とする吸収性物品。
【００１７】
このような吸収性物品によれば、着け心地の低下を防ぎつつ、第３圧搾部によって排泄液が吸収性コアに引き込まれ易く、長手方向に拡散し易くなる。
【００１８】
かかる吸収性物品であって、少なくとも前記股間部位の一部において、前記幅方向の中央部の方が側部に比べて、前記吸収性コアの坪量が高いこと、を特徴とする吸収性物品。
【００１９】
このような吸収性物品によれば、股間部位の幅方向の中央部を厚くすることができ、また、着用者の排泄口に当接する領域の吸収能力が高まり、漏れ難くなる。
【００２０】
かかる吸収性物品であって、前記第１圧搾部と前記第２圧搾部の少なくとも一方が、前記幅方向に凸となるように湾曲しており、前記長手方向における前記第１圧搾部の中央部に比べて端部の方が、前記第２圧搾部との前記幅方向の間隔が狭いこと、を特徴とする吸収性物品。
【００２１】
このような吸収性物品によれば、股間部位の幅方向の側部が潰れ難く、面形状を維持し易い。よって、側部が面状に立ち上がり、着用者の脚の付け根に密着する。
【００２２】
かかる吸収性物品であって、前記第１圧搾部が前記幅方向の内側に凸となるように湾曲していること、を特徴とする吸収性物品。
【００２３】
このような吸収性物品によれば、第１圧搾部が配された股間部位の長手方向の中央に股締め力が強く作用し易いため、着用者の排泄口に当接する部位が肌側に高く突出するように変形し易く、着用者の排泄口に密着する。
【００２４】
かかる吸収性物品であって、前記第２圧搾部が前記幅方向の外側に凸となるように湾曲していること、を特徴とする吸収性物品。
【００２５】
このような吸収性物品によれば、第２圧搾部が配された股間部位から長手方向の外側に向かうにしたがって、幅方向の側部の剛性が低減し、側部の立ち上がりが抑えられる。そのため、長手方向における股間部位の両外側の部位が面形状を維持し易く、着用者の下腹部や臀部にフィットする。
【００２６】
以下、本発明の「吸収性物品」として「生理用ナプキン」を例に挙げて実施形態を説明する。但しこれに限定されず、本発明は、例えば、おりものシート、尿取りパッド等のその他の吸収性物品に対しても適用可能である。
【００２７】
＝＝＝第１実施形態＝＝＝
＜＜生理用ナプキンの基本構成＞＞
図１は第１実施形態の生理用ナプキン１（以下「ナプキン」）の概略平面図である。図２は幅方向に切った股間部位１Ａの概略断面図である。図３は吸収性コア１１の坪量を示す図である。
【００２８】
ナプキン１は、互いに直交する長手方向、幅方向、及び厚さ方向を有する。長手方向において着用者の腹側となる側を「前側」といい、着用者の背側となる側を「後側」という。厚さ方向において着用者の肌に接する側を「肌側」といい、その逆側を「非肌側」という。
【００２９】
ナプキン１は、長手方向の中央部に、着用時に少なくとも着用者の股間部に位置する「股間部位１Ａ」を有する。図１に示すようにウィング部２を有するナプキン１の場合、ウィング部２が配されている長手方向の範囲が股間部位１Ａに相当する。また、図１に示すように長いナプキン１の場合、着用者の臀部に位置する部位が長い。そのため、長手方向の中央部のやや前寄りの部位が股間部位１Ａに相当する。逆に、長手方向に対称であり前後の区別なく装着されるナプキン（後述の図６等）の場合、長手方向の中央部が股間部位１Ａに相当する。
【００３０】
また、ナプキン１では、図２に示すように、厚さ方向の肌側から、液透過性のトップシート３、吸収体１０、液不透過性のバックシート４が積層されている。これら各部材３，１０，４は、厚さ方向に隣接する部材と不図示の接着剤等で接合されている。
【００３１】
トップシート３及びバックシート４はナプキン１の外形を成している。両シート３，４は、吸収体１０を内包し、その外周縁部が接着や溶着で接合されている。なお、トップシート３としては、エアースルー不織布等を例示でき、バックシート４としては、ポリエチレンフィルム等を例示できる。
【００３２】
吸収体１０は、吸収性コア１１と、吸収性コア１１の肌側面１１ｃ及び非肌側面１１ｄをそれぞれ被覆する２枚のコアラップシート１２とを有する。吸収性コア１１としては、パルプ繊維等の液体吸収性繊維に高吸収性ポリマーを含有するものを例示できる。コアラップシート１２としては、液透過性のティッシュペーパー等を例示できる。図１に示す吸収体１０の平面形状は、長手方向の両端が湾曲した略長方形状であるが、これに限定されず、例えば、股間部位１Ａが幅方向の内側にくびれた形状等でもよい。またコアラップシート１２が無い形態でもよい。
【００３３】
吸収体１０（吸収性コア１１）は、幅方向の中央部に、肌側に突出して折れ曲がるように誘導する長手方向に沿った「折り誘導部１３」を有する。折り誘導部１３は、少なくとも股間部位１Ａの一部に設けられていればよく、本実施形態のナプキン１では長手方向の全域に亘って設けられている。
【００３４】
折り誘導部１３には、吸収体１０（吸収性コア１１）の非肌側面に、吸収体１０を非肌側から圧搾した圧搾部１３１（本発明の第３圧搾部）が配されている。このように圧搾部によって折り誘導部１３を形成するに限らず、例えば、吸収性コア１１の坪量を長手方向に沿って低くしたり、吸収体１０を長手方向に沿って折り曲げる加工を製造工程で吸収体１０に施したり、ホットメルト接着剤を長手方向に沿って塗布したりすることで、折り誘導部１３を形成してもよい。
【００３５】
また、図１に示すように、ナプキン１の肌側面には複数の線状圧搾部２０が形成されている。線状圧搾部２０は、トップシート３及び吸収体１０がエンボス加工等により肌側から厚さ方向に圧搾されて接合一体化された線状の部位である。よって、線状圧搾部２０では、隣接部位に比べて吸収性コア１１の密度が高くなっている。
【００３６】
詳しくは、吸収体１０の外周縁部に沿って、長手方向に長い略環状の外側環状圧搾部群２１が配され、外側環状圧搾部群２１の内側であり主に股間部位１Ａに、長手方向に長い略環状の内側環状圧搾部群２２が配され、内側環状圧搾部群２２の長手方向の両外側に、長手方向の外側に凸となっている一対の圧搾部２３が配されている。
【００３７】
内側環状圧搾部群２２は、折り誘導部１３の幅方向の両側に、長手方向に所定の長さを有する一対の第１線状圧搾部２４（本発明の第１圧搾部）を有する。外側環状圧搾部群２１は、各第１線状圧搾部２４の幅方向の外側に、長手方向に所定の長さを有する一対の第２線状圧搾部２５（本発明の第２圧搾部）を有する。第１線状圧搾部２４及び第２線状圧搾部２５は、少なくとも股間部位１Ａの一部に設けられていればよい。また、長手方向において、股間部位１Ａ（ウィング部２）の中心ＣＬ１と、第１線状圧搾部２４及び第２線状圧搾部２５の中心とが揃っていることが好ましい。
【００３８】
なお、図１に示す線状圧搾部２０は、多数の点状圧搾部が狭い間隔で並ぶことによって形成されているが、これに限らない。線状圧搾部２０は、その全域が圧搾された溝状の圧搾部であってもよい。また、図１に示す内側環状圧搾部群２２、及び、外側環状圧搾部群２１は、分断された複数の線状圧搾部２０により略環状に形成されているが、連続していてもよい。つまり、第１線状圧搾部２４や第２線状圧搾部２５が、環状の圧搾部群の一部であってもよい。
【００３９】
また、本実施形態ではトップシート３及び吸収体１０の一部が肌側から圧搾されることで線状圧搾部２０が形成されるとする。但しこれに限らず、線状圧搾部２０では、少なくとも吸収体１０の一部が圧搾され凹んでいればよく、例えば、線状圧搾部２０が吸収体１０のみに形成されていたり、吸収体１０が非肌側から圧搾されていたりしてもよい。
【００４０】
＜＜厚型のナプキン１＞＞
図４は第１線状圧搾部２４及び第２線状圧搾部２５を説明する図である。図５はナプキン１の股間部位１Ａの着用中の概略断面図である。図５では煩雑さを防ぐため、トップシート３や吸収体１０等を一体化して記載し、ウィング部２等を省略している。
【００４１】
ナプキン１では、前端部１Ｂ及び後端部１Ｃに比べて、股間部位１Ａの一部の製品厚さが厚くなっている。詳しくは、股間部位１Ａの幅方向の中央部の製品厚さが、前端部１Ｂ及び後端部１Ｃの製品厚さよりも厚くなっている。そのため、ナプキン１の外観から、漏れ難いという安心感や、クッション性があり着け心地が良い印象を使用者に付与できる。
【００４２】
具体的には、少なくとも股間部位１Ａの一部の厚さが３．５ｍｍ以上１０ｍｍ以下であるとよく、好ましくは６ｍｍ〜８ｍｍ程度であるとよい。本実施形態のナプキン１では、股間部位１Ａの幅方向の中央部の厚さが６．５ｍｍ〜７ｍｍ程度、前端部１Ｂ及び後端部１Ｃの厚さが４．５ｍｍ〜５ｍｍ程度とする。そのため、図３に示すように、吸収性コア１１の坪量は、股間部位１Ａの幅方向の中央部１Ａ１（例えば７００ｇ／ｍ2）の方が、前端部１Ｂ及び後端部１Ｃ（例えば４００ｇ／ｍ2）よりも高くなっている。
【００４３】
また、股間部位１Ａの吸収性コア１１の坪量は、幅方向の中央部１Ａ１（例えば７００ｇ／ｍ2）の方が側部１Ａ２（例えば４００ｇ／ｍ2）に比べて高くなっている。よって、着用者の排泄口に当接する領域の吸収能力が高く、漏れ難くなっている。また、股間部位１Ａの中央部の厚さが側部に比べて厚くなるため、安心感等を使用者に付与できる。
【００４４】
以上のように、本実施形態のナプキン１は、吸収性コア１１の坪量が比較的に高く、厚型のナプキンである。なお、上記の製品厚さの関係や、吸収性コア１１の坪量の関係は、少なくとも股間部位１Ａの一部で成立していればよい。
【００４５】
また、股間部位１Ａと前端部１Ｂ及び後端部１Ｃとの製品厚さの比較は周知の方法で行えばよい。例えば、ミツトヨ（株）製のダイアルシックネスゲージＩＤ−Ｃ１０１２Ｃ又はそれと同等のものを使用し、接触子の面積を２０ｃｍ2、接触圧を３ｇｆ／ｃｍ2に設定して対象部位を加圧して測定する方法である。その他、目視で比較したり、ナプキン１を長手方向に切った断面を撮影した画像を用いて比較したりしてもよい。
【００４６】
また、股間部位１Ａの幅方向の中央部１Ａ１と側部１Ａ２との吸収性コア１１の坪量の比較は周知の方法で行えばよい。例えば、対象部位をナプキン１からサンプルとして切り出し、各サンプルの質量を直示天秤（例えば、研精工業株式会社製  電子天秤ＨＦ−３００）で測定する。そして、各サンプルの面積を測定し、単位面積当たりの質量を算出して比較する方法である。
【００４７】
また、前述のように、ナプキン１の股間部位１Ａには折り誘導部１３が設けられている。そのため、着用時にナプキンの股間部位１Ａが着用者の太腿に挟み込まれ、幅方向の内側に向かう股締め力が作用すると、股間部位１Ａの幅方向の中央部が肌側に突出するように長手方向に沿って折れ曲がる。図５の断面に示すように、股間部位１Ａの幅方向の中央部が、肌側に凸となる山形状に変形し、着用者の排泄口（膣口）に密着し易い。
【００４８】
但し、本実施形態のナプキン１は厚型であるため、薄型のものに比べると、股締め力が吸収性コア１１に吸収されて伝達され難かったり、山の内側で吸収性コア１１がぶつかり合ったりする。そのため、単に折り誘導部１３を設けるだけでは、折り誘導部１３での曲がりが緩やかとなる。そうすると、ナプキン１が着用者の排泄口に密着する程の高さが得られ難い。
【００４９】
これに対して、本実施形態のナプキン１では、折り誘導部１３の幅方向の両側に、一対の第１線状圧搾部２４が配され、各第１線状圧搾部２４の幅方向の外側に、一対の第２線状圧搾部２５が配されている。
【００５０】
そのため、第１線状圧搾部２４と第２線状圧搾部２５に挟まれた吸収性コア１１の密度が高まり、股間部位１Ａの幅方向の側部の剛性が高まる。よって、股締め力によって側部が潰れてしまうことを防止でき、股締め力が折り誘導部１３まで伝達され易い。換言すると、股締め力によってナプキン１が一対の第１線状圧搾部２４を起点に折れつつ、一対の第１線状圧搾部２４が近付こうとするため、股間部位１Ａの幅方向の中央部は、折り誘導部１３で曲がりつつ肌側に押し上げられる。よって、折り誘導部１３でのナプキン１の曲がりが安定し、且つ、急となる。
【００５１】
更に、本実施形態のナプキン１では、図２に示すように、幅方向において第１線状圧搾部２４が吸収性コア１１の端１１ａよりも吸収性コア１１の中央１１ｂに近い位置に配されている（Ｌ１＜Ｌ２）。つまり、第１線状圧搾部２４は折り誘導部１３に寄って位置している。
【００５２】
そのため、山の底辺（図５のＬ３）が短くなり、折り誘導部１３でのナプキン１の曲がりが一層急となる。よって、股間部位１Ａの幅方向の中央部は肌側に高く突出し、着用者の排泄口により密着し易い。
【００５３】
また、厚型のナプキン１の場合、第１線状圧搾部２４が存在しないと、股間部位１Ａの幅方向の側部が折れ難いが、本実施形態のナプキン１には第１線状圧搾部２４が存在する。そのため、ナプキン１が固定された下着が引き上げられて下着の脚周りのゴムが着用者の脚の付け根に密着し、股締め力が作用すると、図５に示すように、股間部位１Ａの幅方向の側部は、第１線状圧搾部２４を起点に折れて肌側に立ち上がる。つまり、股間部位１Ａの幅方向の側部が面状に立ち上がり、着用者の陰唇部を包み込むとともに、着用者の脚の付け根に密着できる。このように、ナプキン１はフィット性がよいため、漏れ難く、着け心地がよい。
【００５４】
なお、第１線状圧搾部２４や吸収性コア１１の幅方向の端１１ａが湾曲していたり傾斜していたりしてもよい。その場合、少なくとも幅方向に切った股間部位１Ａのある断面（図２のような断面）において、第１線状圧搾部２４が吸収性コア１１の中央１１ｂに近い位置に配されていればよい。股間部位１Ａ（ウィング部２）の長手方向の中央ＣＬ１に最も股締め力が作用し易いので、好ましくは、その中央ＣＬ１での断面にて上記の関係が成立しているとよい。そうすることで、ナプキン１がフィット性のよい形状に変形し易い。
【００５５】
また、第１線状圧搾部２４は幅を有する。そのため、少なくとも第１線状圧搾部２４の幅方向内側の端２４ａが吸収性コア１１の中央１１ｂに近い位置に配されていればよい。より好ましくは、第１線状圧搾部２４の底部における幅方向内側の端、或いは、第１線状圧搾部２４の最深部が、吸収性コア１１の中央１１ｂに近い位置に配されているとよい。
【００５６】
また、第１線状圧搾部２４の幅方向の位置の確認は周知の方法で行えばよい。具体的には、対象のナプキンの股間部位を幅方向に切断し、その断面において、幅方向における吸収性コア１１の端１１ａと中央１１ｂの位置を特定する。その２点（１１ａ，１１ｂ）の中間位置よりも幅方向の内側に、第１線状圧搾部２４の幅方向の内側端２４ａが位置していればよい。又は、吸収性コア１１の中央１１ｂから第１線状圧搾部２４の幅方向の内側端２４ａまでの長さ（図２のＬ１）が、第１線状圧搾部２４の幅方向の内側端２４ａから吸収性コア１１の端１１ａまでの長さ（図２のＬ２）よりも長ければよい。
【００５７】
また、図２に示すように、少なくとも幅方向に切った股間部位１Ａのある断面において、第２線状圧搾部２５が幅方向における吸収性コア１１の中央１１ｂよりも吸収性コア１１の端１１ａに近い位置に配されているとよい（Ｌ４＞Ｌ５）。好ましくは、股間部位１Ａの長手方向の中央ＣＬ１での断面にて上記の関係が成立しているとよい。
【００５８】
そうすることで、股間部位１Ａの幅方向の側部において、吸収性コア１１の端１１ａに近い位置まで剛性が高まり、股締め力による潰れを防止できる。よって、股間部位１Ａの幅方向の側部が図５に示すように面状に立ち上がり、着用者の陰唇部を包み込むとともに、着用者の脚の付け根に密着できる。
【００５９】
なお、第２線状圧搾部２５は幅を有する。そのため、少なくとも第２線状圧搾部２５の幅方向外側の端２５ａが吸収性コア１１の端１１ａに近い位置に配されていればよい。より好ましくは、第２線状圧搾部２５の底部における幅方向外側の端、或いは、第２線状圧搾部２５の最深部が、吸収性コア１１の端１１ａに近い位置に配されているとよい。また、第２線状圧搾部２５の幅方向の位置の確認方法は、第１線状圧搾部２４の確認方法と同様である。
【００６０】
また、厚型のナプキン１の場合、排泄液を吸収した吸収性コア１１の層間剥離が生じ易いが、第１線状圧搾部２４や第２線状圧搾部２５によって層間剥離を防ぎ、吸収体１０のよれを防止できる。また、本実施形態では折り誘導部１３が圧搾部（以下、折り誘導圧搾部１３１）で形成されているので、折り誘導圧搾部１３１によっても吸収性コア１１の層間剥離を防止できる。また、吸収性コア１１の密度が高い折り誘導圧搾部１３１によって、排泄液が吸収性コア１１に引き込まれ易く、長手方向に拡散し易い。よって、ナプキン１の肌側面に排泄液が残留し難く、着け心地が向上する。
【００６１】
折り誘導圧搾部１３１は、図２に示すように、非肌側から圧搾され、且つ、その最深部１３１ａの深さＬ６が、最深部１３１ａから吸収性コア１１の肌側面１１ｃまでの厚さＬ７よりも大きいことが好ましい。つまり、折り誘導圧搾部１３１の最深部１３１ａは、隣接する吸収性コア１１の部位の厚さ方向の中心ＣＬ２よりも肌側に位置していることが好ましい。
【００６２】
そうすることで、厚型のナプキン１であっても、股間部位１Ａの幅方向の中央部が、肌側に突出するように折れ曲がり易く、着用者の排泄口に密着し易くなる。なお、上記の深さＬ６及び厚さＬ７の比較は周知の方法で行えばよい。例えば、幅方向に切った股間部位１Ａの断面を電子顕微鏡で拡大して撮影した画像に基づき比較するとよい。
【００６３】
一方、第１線状圧搾部２４は、肌側から圧搾されていることが好ましい。そうすることで、股間部位１Ａの幅方向の側部が第１線状圧搾部２４を起点に肌側に折れ易くなる。
【００６４】
また、折り誘導圧搾部１３１における吸収性コア１１の密度は０．１ｇ／ｃｍ3以上０．２ｇ／ｃｍ3以下であることが好ましい。吸収性コア１１の密度を０．１ｇ／ｃｍ3以上にすることで、排泄液が吸収性コア１１に引き込まれ易く、長手方向に拡散し易くなる。一方、吸収性コア１１の密度を０．２ｇ／ｃｍ3以下にすることで、折り誘導部１３が硬くなり過ぎて着け心地が低下してしまうことを防止できる。
【００６５】
なお、吸収性コア１１の密度の測定は周知の方法で行えばよい。例えば、ナプキン１から折り誘導部１３に位置する吸収性コア１１をサンプルとして切り出す。そして、前述した坪量の測定方法にてサンプルの坪量を測定し、前述した厚さの測定方法にてサンプルの厚さを測定し、サンプルの坪量（ｇ／ｃｍ2）をサンプルの厚さ（ｃｍ）で除することで密度が算出される。
【００６６】
また、第１線状圧搾部２４と第２線状圧搾部２５の少なくとも一方が、幅方向に凸となるように湾曲していることが好ましい。図１に示すナプキン１では、第２線状圧搾部２５（両端部を除く部位）が幅方向の外側に凸となるように湾曲している。そのため、図４に示すように、長手方向における第１線状圧搾部２４の中央部に比べて端部の方が、第２線状圧搾部２５との幅方向の間隔が狭くなっている（Ｌ８＞Ｌ９）。
【００６７】
よって、第１線状圧搾部２４と第２線状圧搾部２５によって略閉じられた領域（図４の斜線の領域Ａ）が形成され、その間の吸収性コア１１の密度が高まり、股間部位１Ａの幅方向の側部は面形状を維持し易くなっている。また、湾曲している第２線状圧搾部２５は、長手方向に長さを有するとともに、幅方向にも長さを有するため、このことからも幅方向の剛性が高まるといえる。そのため、股締め力により幅方向の側部が潰れ難く、幅方向の側部が面状に立ち上がるとともに、股締め力が折り誘導部１３に伝達され、ナプキン１がフィット性のよいＷ字状に変形する。
【００６８】
また、ナプキン１の前端部１Ｂ及び後端部１Ｃは着用者の脚の付け根から離れる。そのため、前端部１Ｂ及び後端部１Ｃでは、幅方向の側部の立ち上がりが抑えられ、着用者の下腹部や臀部に沿う面形状が維持されることが好ましい。そのため、第２線状圧搾部２５が幅方向の外側に凸となるように湾曲しているとよい。そうすると、図４に示すように、第２線状圧搾部２５の長手方向の中央部から外側に向かうにしたがって、第２線状圧搾部２５と吸収性コア１１の端１１ａとの幅方向の間隔が徐々に広くなる（Ｌ１０＜Ｌ１１）。
【００６９】
この場合、第２線状圧搾部２５の長手方向の中央部の位置では、幅方向の側部の剛性が吸収性コア１１の端１１ａに近い位置まで高められ、幅方向の側部がしっかりと立ち上がる。一方、第２線状圧搾部２５の長手方向の中央部から外側に向かうにしたがって、吸収性コア１１の端１１ａに近い位置の剛性が低減し、幅方向の側部の立ち上がりが抑えられる。よって、第２線状圧搾部２５が配された股間部位１Ａから長手方向の外側に向かうにしたがって、幅方向の側部の立ち上がりが抑えられ、前端部１Ｂ及び後端部１Ｃは面形状を維持し易く、フィット性がよい。
【００７０】
また、長手方向における股間部位１Ａの両端部又はその近傍に、幅方向に所定の長さを有する圧搾部を設けるとよい。図１に示すナプキン１の場合、内側環状圧搾部群２２の一部の線状圧搾部２６が幅方向に延びて長さを有している。この場合、線状圧搾部２６により折り誘導部１３での曲がりが抑えられ、前端部１Ｂや後端部１Ｃが面形状を維持し易い。また、厚型のナプキン１であっても、幅方向の広い範囲に亘り、吸収性コア１１の層間剥離を抑制できる。
【００７１】
＝＝＝第２実施形態＝＝＝
図６は第２実施形態のナプキン１の概略平面図である。第２実施形態のナプキン１では、第１実施形態のナプキン１と比べて主に線状圧搾部の形状が異なる。
【００７２】
但し、第２実施形態のナプキン１においても、股間部位１Ａに、折り誘導部１３が配され、折り誘導部１３の幅方向の両側に一対の第１線状圧搾部２４が配され、各第１線状圧搾部２４の幅方向の外側に第２線状圧搾部２５が配されている。そのため、股間部位１Ａが厚いナプキンであっても、折り誘導部１３での曲がりが急となり、且つ、幅方向の側部が第１線状圧搾部２４を起点に肌側に立ち上がり、フィット性がよい。なお、第２線状圧搾部２５は、長手方向に長い環状の連続した圧搾部の一部である。
【００７３】
そして、幅方向において第１線状圧搾部２４が吸収性コア１１の端ａよりも吸収性コア１１の中央１１ｂに近い位置に配されている（Ｌ１２＜Ｌ１３）。そのため、折り誘導部１３での曲がりがより急となり、幅方向の中央部が肌側に高く突出し、着用者の排泄口により密着し易い。
【００７４】
また、第２実施形態のナプキン１では、第１線状圧搾部２４が幅方向の内側に凸となるように湾曲している。この場合、第１線状圧搾部２４の長手方向の中央に股締め力が強く作用し易く、第１線状圧搾部２４が配された股間部位１Ａの長手方向の中央に股締め力が強く作用し易い。よって、着用者の排泄口に当接する部位に股締め力がより伝達され易く、その部位が肌側に高く突出し、着用者の排泄口に密着し易い。
【００７５】
また、第２線状圧搾部２５が幅方向の外側に凸となるように湾曲している。そのため、第２線状圧搾部２５が配された股間部位１Ａから長手方向の外側に向かうにしたがって幅方向の側部の立ち上がりが抑えられる。よって、前端部１Ｂ及び後端部１Ｃが面形状を維持し易く、着用者の下腹部や臀部にフィットし易くなっている。
【００７６】
また、第１線状圧搾２４と第２線状圧搾部２５が逆側に湾曲している。そのため、長手方向における第１線状圧搾部２４の中央部に比べて端部の方が、第２圧搾部２５との幅方向の間隔が狭くなっており、幅方向の側部は面形状を維持し易くなっている。特に、第１線状圧搾部２４と第２線状圧搾部２５が連続しており、閉じられた領域Ａが形成されているため、幅方向の側部は面形状をより維持し易くなっている。よって、股締め力により幅方向の側部が潰れ難く、幅方向の側部が面状に立ち上がるとともに、股締め力が折り誘導部１３に伝達され、ナプキン１がフィット性のよいＷ字状に変形する。
【００７７】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【符号の説明】
【００７８】
１  ナプキン（吸収性物品）、
１Ａ  股間部位、１Ｂ  前端部、１Ｃ  後端部、
２  ウィング部、３  トップシート、４  バックシート、
１０  吸収体、１１  吸収性コア、１２  コアラップシート、
１３  折り誘導部、１３１  折り誘導圧搾部（第３圧搾部）、
１３１ａ  最深部、１４  切欠き部
２０  線状圧搾部、２１  外側環状圧搾部群、２２  内側環状圧搾部群、
２４  第１線状圧搾部（第１圧搾部）、
２５  第２線状圧搾部（第２圧搾部）、
【図１】
0006749349.tif 000002
【図２】
0006749349.tif 000003
【図３】
0006749349.tif 000004
【図４】
0006749349.tif 000005
【図５】
0006749349.tif 000006
【図６】
0006749349.tif 000007